(57)【特許請求の範囲】
【請求項１】
ベースバンド信号からＯＦＤＭ信号を形成する方法であって、
ベースバンド信号のサンプルのブロックを、複数のサブブロックに分割するステップ（Ｓ１）と、
前記複数のサブブロックを、ＯＦＤＭマルチキャリアの隣接する複数のサブキャリア・ブロックにマッピングするステップ（Ｓ２）と、
マッピングされた各サブブロックを、対応するプレフィックス無しＯＦＤＭシンボルに変換するステップ（Ｓ３）と、
複数のプレフィックス付きＯＦＤＭシンボルを形成するために、各プレフィックス無しＯＦＤＭシンボルにサイクリック・プレフィックスを付加するステップ（Ｓ４）と、
後続して行われる無線周波数へのアップ・コンバージョン後において、総てのプレフィックス付きＯＦＤＭシンボルに含まれる前記プレフィックス無しＯＦＤＭシンボルの部分を同じ位相で開始させるために、位相補償を実行するステップ（Ｓ５）と、
前記位相補償された複数のプレフィックス付きＯＦＤＭシンボルを、ＯＦＤＭマルチキャリア構造を保つ中心周波数及び帯域幅を有する各無線周波数帯域にアップ・コンバージョンするステップ（Ｓ６）と、
前記アップ・コンバージョンされ、位相補償された複数のプレフィックス付きＯＦＤＭシンボルを、ＯＦＤＭ信号へと結合するステップ（Ｓ７）と、
を含むことを特徴とする方法。
【請求項２】
前記位相補償の実行は、アップ・コンバージョンに使用する発振部からの帰還信号により制御される、
ことを特徴とする請求項１に記載の方法。
【請求項３】
前記位相補償は、前記変換するステップ（Ｓ３）の前に実行される、
ことを特徴とする請求項１又は２に記載の方法。
【請求項４】
前記位相補償は、前記変換するステップ（Ｓ３）と、前記アップ・コンバージョンするステップ（Ｓ６）との間に実行される、
ことを特徴とする請求項１又は２に記載の方法。
【請求項５】
前記変換するステップは、
逆離散フーリエ変換を実行するステップと、
前記逆離散フーリエ変換を実行後、補間を実行するステップと、
を含むことを特徴とする請求項１から４のいずれか１項に記載の方法。
【請求項６】
ＯＦＤＭ信号からベースバンド信号を形成する方法であって、
前記ＯＦＤＭ信号の部分的に重複する複数の無線周波数帯域を、対応する複数のプレフィックス付きＯＦＤＭシンボルにダウン・コンバージョンするステップ（Ｓ１１）と、
複数のプレフィックス無しＯＦＤＭシンボルを形成するため、ダウン・コンバージョンされた各プレフィックス付きＯＦＤＭシンボルからサイクリック・プレフィックスを除去するステップ（Ｓ１２）と、
前記複数のプレフィックス無しＯＦＤＭシンボルを、隣接する複数のＯＦＤＭサブキャリア・ブロックにマッピングされている、ベースバンドの複数のサブブロックに変換するステップ（Ｓ１３）と、
前記隣接する複数のＯＦＤＭサブキャリア・ブロックと、前記ベースバンドの複数のサブブロックとのマッピングを解消するステップ（Ｓ１４）と、
前記マッピングが解消されたベースバンドの複数のサブブロックが、同じ位相で開始する複数のプレフィックス無しＯＦＤＭシンボルに対応する様に、ダウン・コンバージョン後において位相補償を実行するステップ（Ｓ１５）と、
前記位相補償され、マッピングが解消されたベースバンドの複数のサブブロックを、ベースバンド信号へと結合するステップ（Ｓ１６）と、
を含むことを特徴とする方法。
【請求項７】
前記ＯＦＤＭ信号は、事前符号化ＯＦＤＭ信号である、
ことを特徴とする請求項６に記載の方法。
【請求項８】
前記位相補償の実行は、ダウン・コンバージョンに使用する発振部からの帰還信号により制御される、
ことを特徴とする請求項６又は７に記載の方法。
【請求項９】
前記位相補償は、前記ダウン・コンバージョンするステップ（Ｓ１１）と、前記変換するステップ（Ｓ１３）との間に実行される、
ことを特徴とする請求項６から８のいずれか１項に記載の方法。
【請求項１０】
前記位相補償は、前記変換するステップ（Ｓ１３）の後に実行される、
ことを特徴とする請求項６から８のいずれか１項に記載の方法。
【請求項１１】
前記変換するステップ（Ｓ１３）は、
デシメーションを実行するステップと、
前記デシメーションの実行後、離散フーリエ変換を実行するステップと、
を含むことを特徴とする請求項６から９のいずれか１項に記載の方法。
【請求項１２】
ベースバンド信号からＯＦＤＭ信号を形成する基地局装置であって、
ベースバンド信号のサンプルのブロックを、複数のサブブロックに分割する様に構成された分割部（２８）と、
前記複数のサブブロックを、ＯＦＤＭマルチキャリアの隣接する複数のサブキャリア・ブロックにマッピングする様に構成されたサブキャリア・マッピング部（２６）と、
マッピングされた各サブブロックを、対応するプレフィックス無しＯＦＤＭシンボルに変換する様に構成された複数の変換部（２２；５０、５２、５４）と、
複数のプレフィックス付きＯＦＤＭシンボルを形成するために、各プレフィックス無しＯＦＤＭシンボルにサイクリック・プレフィックスを付加する様に構成された複数のサイクリック・プレフィックス付加部（２４）と、
後続して行われる無線周波数へのアップ・コンバージョン後において、総てのプレフィックス付きＯＦＤＭシンボルに含まれる前記プレフィックス無しＯＦＤＭシンボルの部分を同じ位相で開始させるために、位相補償を行う様に構成された複数の位相補償部（３０）と、
前記位相補償された複数のプレフィックス付きＯＦＤＭシンボルを、ＯＦＤＭマルチキャリア構造を保つ中心周波数及び帯域幅を有する各無線周波数帯域にアップ・コンバージョンする様に構成された複数のアップ・コンバータ（３４、３６）と、
前記アップ・コンバージョンされ、位相補償された複数のプレフィックス付きＯＦＤＭシンボルを、ＯＦＤＭ信号へと結合する様に構成された結合部（１４）と、
を備えていることを特徴とする基地局装置。
【請求項１３】
前記複数の位相補償部（３０）は、アップ・コンバージョンに使用する発振部（３６）からの帰還信号（３８）により制御される、
ことを特徴とする請求項１２に記載の基地局装置。
【請求項１４】
前記複数の位相補償部（３０）は、前記変換部（２２；５０、５２、５４）の上流に配置される、
ことを特徴とする請求項１２又は１３に記載の基地局装置。
【請求項１５】
前記複数の位相補償部（３０）は、前記変換部（２２；５０、５２、５４）と、前記アップ・コンバータ（３４、３６）との間に配置される、
ことを特徴とする請求項１２又は１３に記載の基地局装置。
【請求項１６】
各変換部（５０、５２、５４）は、逆離散フーリエ変換部（５０）と、その下流側の補間部（５２、５４）とを有する、
ことを特徴とする請求項１２から１５のいずれか１項に記載の基地局装置。
【請求項１７】
ＯＦＤＭ信号からベースバンド信号を形成する基地局装置であって、
前記ＯＦＤＭ信号の部分的に重複する複数の無線周波数帯域を、対応する複数のプレフィックス付きＯＦＤＭシンボルにダウン・コンバージョンする様に構成された複数のダウン・コンバータ（１３４、１３６）と、
複数のプレフィックス無しＯＦＤＭシンボルを形成するため、ダウン・コンバージョンされた各プレフィックス付きＯＦＤＭシンボルからサイクリック・プレフィックスを除去する様に構成された複数のサイクリック・プレフィックス除去部（１２４）と、
前記複数のプレフィックス無しＯＦＤＭシンボルを、隣接する複数のＯＦＤＭサブキャリア・ブロックにマッピングされている、ベースバンドの複数のサブブロックに変換する様に構成された複数の変換部（１２２；１５０、１５２、１５４）と、
前記隣接する複数のＯＦＤＭサブキャリア・ブロックと、前記ベースバンドの複数のサブブロックとのマッピングを解消する様に構成されたサブキャリア・ディマッピング部（１２６）と、
前マッピングが解消されたベースバンドの複数のサブブロックが、同じ位相で開始する複数のプレフィックス無しＯＦＤＭシンボルに対応する様に、ダウン・コンバージョン後において位相補償を実行する様に構成された複数の位相補償部（１３０）と、
前記位相補償され、マッピングが解消されたベースバンドの複数のサブブロックを、ベースバンド信号へと結合する様に構成された結合部（１４０；１２０）と、
を備えていることを特徴とする基地局装置。
【請求項１８】
前記ベースバンド信号の後処理のために、逆離散フーリエ変換部（３０３）を備えている、
ことを特徴とする請求項１７に記載の基地局装置。
【請求項１９】
前記複数の補償部（１３０）は、ダウン・コンバージョンに使用する発振部（１３６）からの帰還信号（１３８）により制御される、
ことを特徴とする請求項１７又は１８に記載の基地局装置。
【請求項２０】
前記複数の位相補償部（１３０）は、前記ダウン・コンバータ（１３４、１３６）と、前記変換部（１２２；１５０、１５２、１５４）との間に配置される、
ことを特徴とする請求項１７から１９のいずれか１項に記載の基地局装置。
【請求項２１】
前記複数の位相補償部（１３０）は、前記変換部（１２２；１５０、１５２、１５４）の下流に配置される、
ことを特徴とする請求項１７から１９のいずれか１項に記載の基地局装置。
【請求項２２】
各変換部（１５０、１５２、１５４）は、デシメータ（１５２、１５４）と、その下流側の離散フーリエ変換部（１５０）を有する、
ことを特徴とする請求項１７から２１のいずれか１項に記載の基地局装置。
【発明の詳細な説明】
【技術分野】
【０００１】
本発明は、概して、ＯＦＤＭ信号処理に関し、特に、ベースバンド信号からＯＦＤＭ信号を形成することと、ＯＦＤＭ信号からベースバンド信号を形成することに関する。
【背景技術】
【０００２】
移動通信における現行無線技術は、ＷＣＤＭＡ無線部である。各ＷＣＤＭＡ搬送波は約５ＭＨｚ幅であり、そして最先端の無線部は、２０ＭＨｚ帯域幅内で最大４つまでのその様な搬送波を送ることができる。基本原理を図１の基地局により説明する。４つの入力サンプル・ストリームが各拡散部１０に転送され、拡散信号が各無線部１２に転送される。出力信号は、基地局から送信される２０ＭＨｚの出力信号を形成するために、加算部１４で結合される。
【０００３】
ＷＣＤＭＡではなくＯＦＤＭ／ＯＦＤＭＡに基づくＬＴＥは、２０ＭＨｚまでの帯域幅での送信を必要とするであろう。基本原理を図２の基地局により説明する。単一の入力サンプル・ストリームが直並列変換部２０に転送され、直並列変換部２０からの出力が、通常ＩＦＦＴブロックとして実装されるＩＤＦＴブロック２２により処理される。サイクリック・プレフィックス付加部２４は、ＩＤＦＴブロック２２からの出力信号にサイクリック・プレフィックスを付加し、その結果得られた信号は、送信のために無線部１２に転送される。
【発明の概要】
【発明が解決しようとする課題】
【０００４】
本発明の目的は、ベースバンド信号からＯＦＤＭ信号を形成する新しい手法である。
【０００５】
本発明の他の目的は、ＯＦＤＭ信号からベースバンド信号を形成する新しい手法である。
【課題を解決するための手段】
【０００６】
これらの目的は、添付の特許請求の範囲に従い達成される。
【０００７】
簡潔に述べると、ベースバンド信号のサンプルのブロックを複数のサブブロックに分割することから始まる手順で、ベースバンド信号からＯＦＤＭ信号が形成される。複数のサブブロックは、ＯＦＤＭマルチキャリアの隣接する複数のサブキャリア・ブロックにマッピングされる。マッピングされた各サブブロックは、対応するプレフィックス無しＯＦＤＭシンボルに変換される。サイクリック・プレフィックスが、複数のプレフィックス付きＯＦＤＭシンボルを形成するために、マッピングされた各サブブロックに付加される。総てのプレフィックス付きＯＦＤＭシンボルのプレフィックス無しＯＦＤＭシンボル部分を、後続の無線周波数へのアップ・コンバージョン後において同じ位相で開始させるために、位相補償が行われる。位相補償された複数のプレフィックス付きＯＦＤＭシンボルは、ＯＦＤＭマルチキャリア構造を保つ中心周波数及び帯域幅を有する各無線周波数帯域にアップ・コンバージョンされる。アップ・コンバージョンされ、位相補償された複数のプレフィックス付きＯＦＤＭシンボルは、ＯＦＤＭ信号へと結合される。
【０００８】
簡潔に述べると、ＯＦＤＭ信号の部分的に重複する複数の無線周波数帯域を、対応する複数のプレフィックス付きＯＦＤＭシンボルにダウン・コンバージョンすることから始まる手順で、ＯＦＤＭ信号からベースバンド信号が形成される。複数のプレフィックス無しＯＦＤＭシンボルを形成するために、ダウン・コンバージョンされた各プレフィックス付きＯＦＤＭシンボルからサイクリック・プレフィックスが除去される。複数のプレフィックス無しＯＦＤＭシンボルは、隣接する複数のＯＦＤＭサブキャリア・ブロックにマッピングされたベースバンドの複数のサブブロックに変換される。ベースバンドの複数のサブブロックは、隣接する複数のＯＦＤＭサブキャリア・ブロックとのマッピングが解消される。位相補償がダウン・コンバージョン後に行われ、マッピングが解消されたベースバンドの複数のサブブロックが、同じ位相で開始する複数のプレフィックス無しＯＦＤＭシンボルに対応するようになる。位相補償され、マッピングが解消されたベースバンドの複数のサブブロックは、ベースバンド信号へと結合される。
【０００９】
２０ＭＨｚまでの帯域幅でのＬＴＥ送信は、通常、無線部に対して新しいデジタル・ソリューションの開発を要求する。市場は無線部のコスト及び大きさに非常に敏感であるので、デジタル・ソリューションは、ＡＳＩＣとして実装されなければならず、（ＡＳＩＣでは何時もそうである様に）高い技術的なリスクと長いリードタイムをもたらす。本発明の利点は、ＷＣＤＭＡ無線部のＡＳＩＣの再利用を可能にすることであり、これはコストの観点及びリードタイムの観点から非常に有益である。
【００１０】
本発明の他の利点は、スペクトラムの異なる部分を用いて、同じ無線装置によってＷＣＤＭＡとＬＴＥの選択使用、或いは、併用を可能にすることである。
【００１１】
本発明並びに本発明のさらなる目的及び利点については、添付の図面と共に行う以下の詳細な記載を参照することにより最もよく理解され得る。
【図面の簡単な説明】
【００１２】
【図１】最新のＷＣＤＭＡ基地局の基本原理を説明するブロック図。
【図２】最新のＬＴＥ（ＯＦＤＭ）基地局の基本原理を説明するブロック図。
【図３】図１のタイプのＷＣＤＭＡシステムの下りリンクの電力スペクトラムを示す図。
【図４】図２のタイプのＯＦＤＭシステムの下りリンクの電力スペクトラムを示す図。
【図５】本発明によるＯＦＤＭシステムの下りリンクの電力スペクトラムの例を示す図。
【図６】ＬＴＥの下りリンクのサブフレーム構造の例を概念的に示す図。
【図７】本発明の第１ステップを示すブロック図。
【図８】図７の装置により得られる信号の特性を示す図。
【図９】本発明の第２ステップを示す図。
【図１０】ベースバンド信号からＯＦＤＭ信号を形成するための、本発明による基地局装置の一実施形態の基本原理を示すブロック図。
【図１１】ベースバンド信号からＯＦＤＭ信号を形成するための、本発明による方法の一実施形態の基本原理を示すフロー図。
【図１２】ベースバンド信号からＯＦＤＭ信号を形成するための、本発明による基地局装置の他の実施形態のブロック図。
【図１３】ベースバンド信号からＯＦＤＭ信号を形成するための、本発明による基地局装置の他の実施形態のブロック図。
【図１４】ＯＦＤＭ信号からベースバンド信号を形成するための、本発明による基地局装置の一実施形態の基本原理を示すブロック図。
【図１５】ＯＦＤＭ信号からベースバンド信号を形成するための、本発明による方法の一実施形態の基本原理を示すフロー図。
【図１６】ＯＦＤＭ信号からベースバンド信号を形成するための、本発明による基地局装置の他の実施形態のブロック図。
【図１７】ＯＦＤＭ信号からベースバンド信号を形成するための、本発明による基地局装置の他の実施形態のブロック図。
【図１８】ベースバンド信号からＯＦＤＭ信号を形成するための、本発明による基地局装置の他の実施形態の基本原理を示すブロック図。
【図１９】ＯＦＤＭ信号からベースバンド信号を形成するための、本発明による基地局装置の他の実施形態の基本原理を示すブロック図。
【図２０】ＣＰＲＩインタフェースに基づく、本発明の一実施形態における数値制御発振部を制御するための装置の一実施形態を示すブロック図。
【図２１】ＣＰＲＩインタフェースに基づく、本発明の一実施形態における数値制御発振部を制御し、読み取るための装置の一実施形態を示すブロック図。
【図２２】ＳＣ−ＦＤＭＡの上りリンク送信機の原理を示すブロック図。
【図２３】ＳＣ−ＦＤＭＡの上りリンク受信機の原理を示すブロック図。
【発明を実施するための形態】
【００１３】
以下の記述において、同じ参照符号は、同じ又は同様の機能要素に用いられる。
【００１４】
図３は、図１を用いて説明した様なＷＣＤＭＡシステムの下りリンクの電力スペクトラムを示す図である。この例において、電力スペクトラムは、中心周波数ｆＣ１・・・ｆＣ４有する４つの異なる周波数帯域を有している。４つの周波数帯域の総てを含む複合信号の中心周波数は、ｆＣと示されている。
【００１５】
図４は、図２を用いて説明した様なＯＦＤＭシステムの下りリンクの電力スペクトラムを示す図である。このスペクトラムは、図３の電力スペクトラムと同じ合計帯域幅及び中心周波数ｆＣを有するが、連続的である。ＯＦＤＭサブキャリア構造が示されている。
【００１６】
図５は、本発明によるＯＦＤＭシステムの下りリンクの電力スペクトラムの例を示す図である。電力スペクトラムは、重複する帯域を得るために、図３の重なりのない帯域の帯域幅をわずかに拡張し、図４のと同じ合計帯域幅を維持する様に、中心周波数をｆＣ１・・・ｆＣ４からｆ'Ｃ１・・・ｆ'Ｃ４にわずかにシフトすることにより形成されている。中心周波数ｆ'Ｃ１・・・ｆ'Ｃ４及び帯域幅は、図４に示す純粋なＯＦＤＭスペクトラムの様に、ＯＦＤＭサブキャリアが一様に分布するような方法で選ばれる。
【００１７】
２０ＭＨｚの合計帯域幅で、ＬＴＥ信号を伝送するものとすると、以下の値が使用され得る。
ｆ'Ｃ１  ＝  −６．７５ＭＨｚ
ｆ'Ｃ２  ＝  −２．２５ＭＨｚ
ｆ'Ｃ３  ＝  ２．２６５ＭＨｚ
ｆ'Ｃ４  ＝  ６．７６５ＭＨｚ
各帯域は、１５ｋＨｚ間隔で３００のＯＦＤＭサブキャリアを含んでいる。ｆ'Ｃ３とｆ'Ｃ４との１５ｋＨｚのオフセットは、中心にあるＯＦＤＭサブキャリアの意図的な信号の欠落によるものである。
【００１８】
図５の例においては、総てが同じ帯域幅である４つの重複する周波数帯域がある。この例を、本発明の説明に使用する。しかしながら、以下に記述する原理は、他の場合に等しく適用できる。よって、より少ない周波数帯域や、より多い周波数帯域とすることができる。
【００１９】
図６は、ＬＴＥの下りリンクのサブフレーム構造の例を示す図である。各サブフレーム（１ミリ秒の継続時間を有する）は、２つのスロットに分割される。各スロットは、７つのプレフィックス付きＯＦＤＭシンボルを有する。各プレフィックス付きＯＦＤＭシンボルは、実際の有用な情報を含むプレフィックス無しＯＦＤＭシンボルと、プレフィックス無しＯＦＤＭシンボルの端部を繰り返すサイクリック・プレフィックスとを有している。
【００２０】
図７は、本発明の第１ステップを概念的に示すブロック図である。（周波数領域の）サンプルＸ（ｋ）が、サブキャリア・マッピング部２６に転送される。サブキャリア・マッピング部２６は、各無線部に対応する１つの方形周波数ウィンドウ２８を含む。第１のウィンドウは、以下の式で定義される。
【００２１】
【数１】
0005295373.tif 000002
【００２２】
入力サンプルＸ（ｋ）にＷ１（ｋ）を乗じると、Ｘ（ｋ）の最初のＮ／４サンプルを抽出して、全長Ｎまでの残りについては零を詰めることになる。ブロック２２でのＩＤＦＴは、以下の式で定義される。
【００２３】
【数２】
0005295373.tif 000003
【００２４】
よって、ＩＤＦＴ後のプレフィックス無しシンボルｘ１（ｎ）は、Ｘ（ｋ）の最初のＮ／４サンプルのＩＤＦＴを補間したものを表わす。
【００２５】
第２のウィンドウは、以下の式で定義される。
【００２６】
【数３】
0005295373.tif 000004
【００２７】
入力サンプルＸ（ｋ）にＷ２（ｋ）を乗じ、そしてブロック２２でＩＤＦＴを行うと、以下の様になる。
【００２８】
【数４】
0005295373.tif 000005
【００２９】
総和をとる変数をｍ＝ｋ−Ｎ／４に置き換えると、上式は以下の様になる。
【００３０】
【数５】
0005295373.tif 000006
【００３１】
この様に、ＩＤＦＴ後のプレフィックス無しシンボルｘ２（ｎ）は、
【００３２】
【数６】
0005295373.tif 000007
【００３３】
により変調されたＸ（ｋ）のＮ／４からＮ／２−１までのサンプルのＩＤＦＴを補間したものを表わす。
【００３４】
プレフィックス無しのｘ３（ｎ）及びプレフィックス無しのｘ４（ｎ）に対して同様の計算をすると、以下の様になる。
【００３５】
【数７】
0005295373.tif 000008
【００３６】
一般に、変調関数は以下の様に記載される。
【００３７】
【数８】
0005295373.tif 000009
【００３８】
ここで、Ｏｆｆｓｅｔは、ウィンドウの零周波数からのオフセット（周波数ビンの数）である。Ｍ（０，Ｏｆｆｓｅｔ）＝１であるので、変調関数は、Ｏｆｆｓｅｔの値に係らず、プレフィックス無しシンボルの始まりにおいて位相は零である。
【００３９】
図７に戻り、プレフィックス無しシンボルｘ１（ｎ）・・・ｘ４（ｎ）は、ＲＦへのアップ・コンバージョンのために、各無線部１２に転送される。無線部１２からの信号は、加算部１４で結合される。結合された信号は増幅され、そして送信される。
【００４０】
図７における装置は、図５を用いて説明した様に、アップ・コンバージョンされる周波数ｆ'Ｃ１・・・ｆ'Ｃ４及び帯域幅を適切に選択すると、実際に機能する。これは、プレフィックスのないＯＦＤＭ広帯域信号をもたらす。ＯＦＤＭサブキャリア構造はアップ・コンバージョンにより維持されなければならないので、周波数差、例えば、ｆ'Ｃ２−ｆ'Ｃ１は、整数のサブキャリア間隔に対応しなければならず、さもなければ、図５のサブキャリアは不均一に分布し、ＯＦＤＭ構造を破壊する。この差はＯｆｆｓｅｔの値に対応する。
【００４１】
図８は、図７の装置により得られる信号の特性を示す図である。図は、例えば、図７のｘ２（ｎ）といった、一連のプレフィックス無しシンボルを示している。これらの信号は、発振周波数ｆ'Ｃ２を用いてより高い周波数に変換される。Ｏｆｆｓｅｔがただ１つの周波数ビン（１サブキャリア間隔）であるとする。これは勿論現実的な値ではないが（典型的な値は、例えば５１２である）、原理を説明するには都合のよい値である。これは、異なる発振周波数ｆ'Ｃ１とｆ'Ｃ２に起因する連続的な相対位相の回転が、図８の下部に複素位相回転の実部で示す様に、プレフィックス無しシンボルあたり１周期であることを意味する。選択した同期（サブフレームの初めで位相零）を使用することで、各プレフィックス無しシンボルは、相対的な位相回転が零で始まるということについては注目される。これは、異なる発振周波数により引き起こされる相対的な位相回転と、上述した変調関数Ｍ（ｎ，Ｏｆｆｓｅｔ）により引き起こされる位相回転は、各プレフィックス無しシンボルｘ１（ｎ）・・・ｘ４（ｎ）の初めで共に零であるということを意味している。これが、図７の装置がプレフィックス無しＯＦＤＭシンボルで実際に機能することの理由である。
【００４２】
しかしながら、例えばＬＴＥシステムの様な典型的なＯＦＤＭシステムは、サイクリック・プレフィックスを含んでいる。この場合を図９に示す。ここでは、プレフィックス無しシンボル間にサイクリック・プレフィックスが存在する。発振部は、図７の装置と同じ周波数ｆ'Ｃ１・・・ｆ'Ｃ４を有しており、プレフィックス付きシンボルは、プレフィックス無しシンボルよりも長いため、異なる発振周波数による連続的な相対位相の回転は、もはや各プレフィックス無しシンボルの初めで零ではない。これを図９の中央に示す。これは、結合された信号のＯＦＤＭマルチキャリア構造を壊す。しかしながら、本発明により、ＯＦＤＭマルチキャリア構造は、アップ・コンバージョン前において、ＯＦＤＭシンボルに位相補償を加えることで復元され得る。加えた位相補償により、各プレフィックス無しシンボルの初めで位相零が復元されている様子を図９の下部に示す。
【００４３】
一例として、ＩＤＦＴ（ＩＦＦＴ）サイズＮ＝２０４８であり、Ｏｆｆｓｅｔが５１２であり、通常のサイクリック・プレフィックスを持つＬＴＥシステムに対しての、１サブフレームにわたる累積位相補償を以下の表１に示す。
【００４４】
【表１】
0005295373.tif 000010
【００４５】
ここで、
【００４６】
【数９】
0005295373.tif 000011
【００４７】
である。１サブフレーム後、合計位相補償は零に戻る。
【００４８】
図１０は、本発明による基地局装置の一実施形態の基本原理を示すブロック図である。図１０の基地局装置は、ＩＤＦＴブロック２２と無線部１２との間にサイクリック・プレフィックス付加部２４および位相補償部３０を含む点で図７の装置と異なる。
【００４９】
図１１は、ベースバンド信号からＯＦＤＭ信号を形成するための、本発明による方法の一実施形態の基本原理を示すフロー図である。ステップＳ１において、ベースバンドのブロックを複数のサブブロックに分割する。ステップＳ２において、複数のサブブロックをＯＦＤＭマルチキャリアの隣接する複数のサブキャリア・ブロックにマッピング（対応付け）する。ステップＳ３において、マッピングされた各サブブロックを対応するプレフィックス無しＯＦＤＭシンボルに変換する。ステップＳ４において、複数のプレフィックス付きＯＦＤＭシンボルを形成するために、マッピングされた各サブブロックにサイクリック・プレフィックスを付加する。ステップＳ５において、総てのプレフィックス付きＯＦＤＭシンボルのプレフィックス無しＯＦＤＭシンボル部分が、後続のアップ・コンバージョン後に同じ位相で開始する様に位相補償を行う。これは、異なる無線周波数帯域にアップ・コンバージョンされることになるサイクリック・プレフィックスを付加することにより引き起こされる位相シフトを補償する。ステップＳ６において、位相補償された複数のプレフィックス付きＯＦＤＭシンボルが、ＯＦＤＭマルチキャリア構造を保つ中心周波数及び帯域幅を持つ各無線周波数（ＲＦ）帯域にアップ・コンバージョンされる。ステップＳ７において、アップ・コンバージョンされ、位相補償された複数のプレフィックス付きＯＦＤＭシンボルは、ＯＦＤＭ信号へと結合される。位相を補償するステップＳ５は、ステップＳ４の後で説明されているが、このステップは、実際には、アップ・コンバージョンするステップＳ７より前の任意の位置で（分割するステップＳ１の前においても）行うことが可能であることが理解される。
【００５０】
図１２は、ベースバンド信号からＯＦＤＭ信号を形成するための、本発明による基地局装置の他の実施形態のブロック図である。図（後続の図も）のドットは、例えば、電力増幅部、Ｄ／Ａ変換部等の、通常の無線部には含まれているが、本発明を説明するためには必要でない要素を表している。各無線部は、プレフィックス付きＯＦＤＭシンボルをアップ・コンバージョンするためのミキサー３４、３６を含んでいる。このミキサーは、周波数ｆ'Ｃ１・・・ｆ'Ｃ４で動作する発振部３６を含んでいる。以下でより詳細を説明する様に、発振位相Φ１（ｔ）・・・Φ４（ｔ）を追跡するために、発振部３６から位相補償部３０への帰還線３８が好ましくは存在する。好ましくは、アップ・コンバージョンする前に、プレフィックス付きＯＦＤＭシンボルをフィルタリングする低域フィルタ３２が存在する。
【００５１】
図１３は、ベースバンド信号からＯＦＤＭ信号を形成するための、本発明による基地局装置の他の実施形態のブロック図である。この実施形態は、位相補償部３０がＩＤＦＴブロック２２の後ではなく、その前に位置している点で図１２の実施形態とは異なる。実際、これらの位相補償部の位置は非常に融通性に富む。サイクリック・プレフィックスの付加及びＩＤＦＴは線形操作であるため、ＯＦＤＭシンボルのプレフィックス無しの部分により見られるように、位相補償は、ＲＦへの実際のアップ・コンバージョン（または妥当な場合、低域のフィルタリング）までの分割されたデータ・ストリームの任意の位置とすることができる。実際、位相補償は、分割されていない入力サンプル・ストリームの異なるセグメント（サブブロック）に異なる位相補償を適用することにより、分離されたデータ・ストリームに実際に分割する前に行うことさえ可能である。
【００５２】
ミキサー３４、３６は、デジタル・ドメイン又はアナログ・ドメインのいずれかで実装可能である。デジタル・ドメインにおいて、発振部３６は、通常、数値制御発振部（ＮＣＯ）として実装される。
【００５３】
ベースバンド信号からＯＦＤＭ信号を形成することに焦点を当てて説明を行ってきた。しかしながら、同じ原理を逆方向の処理、すなわち、ＯＦＤＭ信号からベースバンド信号を形成するのに適用可能である。
【００５４】
図１４は、ＯＦＤＭ信号からベースバンド信号を形成するための、本発明による基地局装置の一実施形態の基本原理を示すブロック図である。この場合、説明されるステップは、本質的に、位相補償の符号を逆にして逆の順番で行われる（ＩＤＦＴは、ＦＦＴにより通常実装される、ＤＦＴに置き換えられる）。
【００５５】
図１５は、ＯＦＤＭ信号からベースバンド信号を形成するための、本発明による方法の一実施形態の基本原理を示すフロー図である。ステップＳ１１において、ＯＦＤＭ信号の部分的に重複している複数の無線周波数（ＲＦ）帯域を、対応するプレフィックス付きＯＦＤＭシンボルにダウン・コンバージョンする。ステップＳ１２において、複数のプレフィックス無しＯＦＤＭシンボルを形成するために、ダウン・コンバージョンされた各プレフィックス付きＯＦＤＭシンボルからサイクリック・プレフィックスを除去する。ステップＳ１３において、複数のプレフィックス無しＯＦＤＭシンボルを、隣接する複数のＯＦＤＭサブキャリア・ブロックにマッピングされているベースバンドの複数のサブブロックに変換する。ステップＳ１４において、隣接する複数のＯＦＤＭサブキャリア・ブロックと、ベースバンドの複数のサブブロックとをディマッピング（マッピングを解消）する。ステップＳ１５において、ダウン・コンバージョン後の位相補償を行い、これにより、ディマッピングされたベースバンドの複数のサブブロックが、同じ位相で開始する複数のプレフィックス無しＯＦＤＭシンボルに対応付けされる。これは、異なる無線周波数帯域からダウン・コンバージョンされるサイクリック・プレフィックスを除去することにより引き起こされる位相シフトを補償する。ステップＳ１６において、位相補償され、ディマッピングされたベースバンドの複数のサブブロックをベースバンド信号へと結合する。位相補償をするステップＳ１５がステップＳ１４の後で説明されているが、このステップは、実際には、ダウン・コンバージョンするステップＳ１１後の任意の位置で（結合するステップＳ１６の後でさえ）行うことが可能である。
【００５６】
図１６は、ＯＦＤＭ信号からベースバンド信号を形成するための、本発明による基地局装置の他の実施形態のブロック図である。各無線部は、プレフィックス付きＯＦＤＭシンボルをダウン・コンバージョンするためのミキサー１３４、１３６を含んでいる。このミキサーは、周波数ｆ'Ｃ１・・・ｆ'Ｃ４で動作する発振部１３６を含んでいる。発振位相Φ１（ｔ）・・・Φ４（ｔ）を追跡するために、発振部１３６から位相補償部１３０への帰還線１３８が、好ましくは存在する（位相補償の符号が下りリンクと比べて逆であることに注意）。好ましくは、ダウン・コンバージョン後にプレフィックス付きＯＦＤＭシンボルをフィルタリングする低域フィルタ１３２が存在する。サイクリック・プレフィックス除去部１２４は、各プレフィックス付きＯＦＤＭシンボルからプレフィックスを除去する。プレフィックス無しＯＦＤＭシンボルは、ＤＦＴブロック１２２に転送される。ＤＦＴブロック１２２からの出力信号は、サブキャリア・ディマッピング部１２６に転送され、出力サンプル・ストリームに結合される。
【００５７】
図１７は、ＯＦＤＭ信号からベースバンド信号を形成するための、本発明による基地局装置の他の実施形態のブロック図である。この実施形態は、位相補償部１３０がＤＦＴブロック１２２の前ではなく、その後に位置している点で図１６の実施形態と異なる。実際、これら位相補償部の位置は非常に融通性に富む。サイクリック・プレフィックス除去及びＤＦＴは線形操作であるため、ＯＦＤＭシンボルのプレフィックス無しの部分により見られるように、位相補償は、データ・ストリームにおいてＲＦからの実際のダウン・コンバージョン（または妥当な場合、低域のフィルタリング）後の任意の位置とすることができる。実際、位相補償は、出力サンプル・ストリームの異なるセグメント（サブブロック）に異なる位相補償を適用することにより、単一のデータ・ストリームへの実際の結合後に行うことさえ可能である。
【００５８】
ミキサー１３４、１３６は、デジタル・ドメイン又はアナログ・ドメインのいずれかで実装可能である。デジタル・ドメインの場合、発振部１３６は、通常、数値制御発振部（ＮＣＯ）として実装される。
【００５９】
上述した実施形態は、上記数学的記述による完全ＮポイントＩＤＦＴ及びＤＦＴに基づくものであり、完全ＮポイントＩＤＦＴ及びＤＦＴにおいては、ゼロ・パディングにより補間が実現され、ＤＦＴ出力サンプルのブロックを廃棄することによりデシメーション（間引き）は実現されている。しかしながら、代替案は、例えばＮ／４ポイントといった、より短いＩＤＦＴ及びＤＦＴを用いる。下りリンクにおいて、アップサンプリング又は補間は、図１８に示す様に、ＩＤＦＴ出力サンプルの間に零を挿入することと、低域フィルタリングにより行われる。上りリンクにおいて、ダウンサンプリング又はデシメーションは、図１９に示す様に、低域フィルタリング及びＤＦＴ前の圧縮（サンプルを抜かすこと）により行われる。これまでに説明した実施形態における、異なる位相補償位置及び帰還パスの総てが、Ｎ／４ポイントＩＤＦＴ及びＤＦＴに基づく実施形態に対しても有効な選択肢となる。
【００６０】
図１８は、ベースバンド信号からＯＦＤＭ信号を形成するための、本発明による基地局装置の他の実施形態の基本原理を示すブロック図である。サブキャリア・マッピング部２６からの信号は、Ｎ／４ポイントＩＤＦＴ５０に転送され、アップ・サンプラー５２及び低域フィルタ５４により形成された補間部において補間される。補間後、信号は既に説明した実施形態と同じ様に処理される。
【００６１】
図１９は、ＯＦＤＭ信号からベースバンド信号を形成するための、本発明による基地局装置の他の実施形態の基本原理を示すブロック図である。プレフィックス無しＯＦＤＭシンボルは、ダウンサンプラー１５２及び低域フィルタ１５４より形成されたデシメータでデシメーションされる。デシメーションされた信号は、Ｎ／４ポイントＤＦＴ１５０に転送され、その後、ディマッピングされて結合される。
【００６２】
以上の記載において、総ての周波数帯域は、同じ帯域幅を有していた。しかしながら、これは必要な特性ではない。たとえば、周辺の周波数帯域は、中央の周波数帯域よりも狭い場合がある。これは、結合された信号のスペクトラム帯域の端で急激なフィルタ勾配を実現するために必要なフィルタ・タップの数を減らすであろう。
【００６３】
本発明の記載した態様を実装するための簡易な方法は、共通公衆無線インタフェース（ＣＰＲＩ）を用いることである。ＣＰＲＩインタフェースは、無線制御装置（ＲＥＣ）と無線装置（ＲＥ）との間の、無線基地局の主要な内部インタフェースに対して公的に利用できる仕様を規定する産業協業である。ＣＰＲＩ仕様は、無線基地局にとって融通性に富み、そして効率的な製品の差別化と、ＲＥ及びＲＥＣに対する独自技術の進展を可能にする。ＲＥＣとＲＥをＣＰＲＩインタフェースで接続する場合、もたらされるエンティティは、ＷＣＤＭＡ無線アクセス・ネットワーク用語におけるノードＢである。ＣＰＲＩについての更なる情報、および最新の仕様は、ＣＰＲＩ仕様Ｖ３．０（２００６−１０−２０）において調べることができる。
【００６４】
本発明による基地局装置の下りリンク・ブランチの典型的なＣＰＲＩの実装には、以下のものを含む。
ＲＥＣ：
・複数の狭帯域ＩＦＦＴ
・ＬＴＥ規格のエア・フレーム構造を意識したベースバンド制御装置
・ＣＰＲＩインタフェース
ＲＥ：
・ＣＰＲＩインタフェース
・１つ以上の広帯域送信機により実現された広帯域チャネル
・多数の狭帯域チャネルで、各々は、以下のものと関連
−スペクトラム・シェーピングの好ましい低域フィルタ
−狭帯域チャネルを広帯域チャネルの正確な位置に移すミキサー
−狭帯域チャネルの正確な周波数を生成する数値制御発振部（ＮＣＯ）
さらに、例えば、各狭帯域チャネルに対する複素乗算部（ＲＥ又はＲＥＣ配置）として実装された、位相補正機能が必要であろう。
【００６５】
明確な時間でＮＣＯ値を制御又は読み取ることができるＮＣＯ制御装置が、好ましくは含まれる。
【００６６】
いかなる時点においても狭帯域信号の位相は、かかる時点での対応するＮＣＯの位相に依存する。各プレフィックス無しＯＦＤＭシンボル開始時にＮＣＯ位相を瞬間的に設定することは、法律上のＲＦ要件を最早満たさなくなる可能性があるスペクトラム拡大の原因となる位相ジャンプをもたらすことになるので推奨されない。その代わりに、プレフィックス無しＯＦＤＭシンボル開始時のＮＣＯの位相は、好ましくは、低域フィルタの前に予測されて補償される。１つの位相補正値がプレフィックス無しＯＦＤＭシンボルごとに適用される。補償は、周波数プレーン（ＩＦＦＴの前）又は時間ドメイン（ＩＦＦＴの後）のいずれかで適用される。
【００６７】
ＩＦＦＴからのプレフィックス無しＯＦＤＭシンボルの最初のサンプルでのＮＣＯの位相は、位相が補償される場所で決定される。位相がＲＥＣ内で補償される場合、ＲＥにおけるＮＣＯの位相はＲＥＣに伝えられる。これは以下の種々の方法で行うことができる。
・図２０に示す様に、ＮＣＯが特定の値、例えば零を読み込んでいる場合、あるサンプルを特定するＲＥＣが行う。例えば、ＲＥＣは、乗算部がＣＰＲＩの特定の基本フレームからのサンプルを消費する場合、ＮＣＯは零を読み込んでいるはずであるということを提示する。
・ＮＣＯが読み取られるはずである場合、あるサンプルを特定するＲＥＣが行う。上記の様に、しかしＮＣＯに読み込む代わりに、ＮＣＯの値が読み取られ、そしてＲＥＣに伝えられる。例えば、ＮＣＯ値は、ＣＰＲＩ基本フレーム０、ＨＦＮ＝０のサンプルに対して、つまり１０ミリ秒ごとに、読み取られることができよう。
・図２１に示す様に、ＮＣＯ位相が読み取られ、或いは、リセットされるはずである場合、あるエア・インタフェース時間を特定するＲＥＣが行う。例えば、ＲＥは、ＣＰＲＩフレーム・ストローブの受信（基本フレーム０、ＨＦＮ＝０の受信）時点で、ＮＣＯに値０を読み込む。
・上記の組み合わせで行う。ＲＥＣは、ＣＰＲＩフレーム・ストローブの受信後のある時点で、ある基本フレーム内でサンプルを送る様にＲＥに通知し、サンプルが乗算部に到達するとき、ＮＣＯの位相オフセットを読み取る。
【００６８】
位相補償がＲＥで行われる場合、上述したのと同様な方法が、ＮＣＯを制御又は監視するのに用いられ、情報をＲＥＣに送る必要がないという点が異なる。他方、ベースバンド制御装置は、どのサンプルがプレフィックス無しＯＦＤＭシンボルの最初のサンプルであるかについての情報をＲＥに送る必要がある。情報転送は種々の方法で行うことができる。
・どのＣＰＲＩ基本フレームがプレフィックス無しＯＦＤＭシンボルの最初のサンプルを含むかを特定するＲＥＣが行う。例えば、ＲＥＣは、ＬＴＥサブフレームの、各プレフィックス無しＯＦＤＭシンボル部分の開始に対して、ＨＦＮ番号及び基本フレーム番号のリストを含むメッセージを、１ミリ秒ごとに送ることができる。
・シンボルがエア・インタフェース時間に関してどこに位置しているかを特定するＲＥＣが行う。例えば、ＲＥＣは、ＣＰＲＩフレーム・ストローブに対するプレフィックス無しＯＦＤＭシンボルの開始の時間位置のリストを含むメッセージを、１ミリ秒ごとに送ることができる。
・上記の組み合わせで行う。プレフィックス無しＯＦＤＭシンボルの最初のサンプルがどのＣＰＲＩ基本フレームに位置しているか、そしてＣＰＲＩフレーム・ストローブと比べて、最初のサンプルがどの時点でエアに到達することになるかを特定するＲＥＣが行う。
【００６９】
本発明による基地局装置の上りリンク・ブランチの典型的なＣＰＲＩ実装は、以下のものを含む。
ＲＥＣ：
・複数の狭帯域ＦＦＴ
・ＬＴＥ規格のエア・フレーム構造を意識したベースバンド制御装置
・ＣＰＲＩインタフェース
ＲＥ：
・ＣＰＲＩインタフェース
・１つ以上の広帯域受信機により実現される広帯域チャネル
・複数の狭帯域チャネルで、各々は以下のものと関連付けられている。
【００７０】
−狭帯域チャネルの正確な周波数を生成する数値制御発振部（ＮＣＯ）
−狭帯域チャネルをベースバンドに移すミキサー
−スペクトラム・シェーピングに好ましい低域フィルタ
ＲＥＣ及びＲＥは、本発明を実装するために以下の機能で高度化される。
【００７１】
さらに、例えば、狭帯域チャネルごとに複素乗算部（ＲＥ又はＲＥＣ配置）として実装される、位相補正機能が必要である。
【００７２】
好ましくは、明確な時間でＮＣＯ値を制御し、または読み取ることができるＮＣＯ制御装置が含まれる。
【００７３】
上りリンクに用いられる原理は、下りリンクに用いられる原理と同様である。それに応じて、各ＦＦＴの最初のサンプルの時点でのＮＣＯの位相を知る必要がある。
【００７４】
純然たるＯＦＤＭシステムに対して、位相補正は、下りリンクに関しては、ＲＥ又はＲＥＣのいずれかで行うことができる。ＬＴＥシステムに対して、一部の信号はＣＤＭＡ符号化され、段階的な位相回転に従うことはできない。よって、ＬＴＥにおいて、位相補正はＲＥＣ内で適用されるべきであり、それにより、ＲＥＣは元の信号と位相連続信号の双方にアクセスできる。
【００７５】
本発明の一実施形態において、狭帯域搬送波は、少なくともＰＵＣＣＨおよびＲＡＣＨを対象にするのに十分に広く選ばれる。狭帯域搬送波の組み合わせはその場合、それらのチャネルを復号するのに必要とされない。
【００７６】
ＮＣＯの位相オフセットは、ＲＥＣに伝えられる必要がある。これは種々の方法で行われる。
・あるサンプルが、例えば、そのものの後に続く追加のビットとしてマークされ、マークされたサンプルのオフセットが、ＣＰＲＩインタフェース経由の個別のメッセージでＲＥＣに送られる。例えば、ＮＣＯが位相零となる度に、サンプルがマークされる。
・あるＣＰＲＩフレーム内のサンプルに対するＮＣＯ位相値が、ＲＥＣに送られる。例えば、ＣＰＲＩ基本フレーム０、ＨＦＮ＝０に含まれるサンプルに対する位相値が、ＲＥＣに送られる。他の例として、ＲＥが、ＣＰＲＩ基本フレーム番号及び当該フレーム内のサンプルの位相という２つの値を持つメッセージを送信する。
・ＲＥＣは、ＮＣＯにある値をいつ設定すべきかを示す。例えば、ＲＥＣは、ＣＰＲＩフレーム・ストローブを受信後のある時点でＮＣＯが零を読み込んでいるはずであるということを示す。ＲＥは、受信したＤＬ時間（ＣＰＲＩフレーム・ストローブの受信）と上りリンクＣＰＲＩフレーム構造内のサンプルの配置との間の対応付けをＲＥＣに知らせる。
【００７７】
上りリンクの記述は、純粋なＯＦＤＭＡシステムに焦点を当ててきた。しかしながら、同じ原理が、例えば、ＬＴＥ上りリンクで使用されている様なＳＣ−ＦＤＭＡにも適用可能である。ＳＣ−ＦＤＭＡの原理を、図２２及び図２３に簡潔に示す。
【００７８】
図２２は、ＳＣ−ＦＤＭＡの上りリンク送信機の原理を示すブロック図である。入力サンプルは、ＭポイントＤＦＴブロック３０１に転送される。入力サンプルのＤＦＴは、ＮポイントＩＤＦＴブロック２２、ここでＮ＞Ｍ、の所定の入力に対応付けられ、残りの入力はゼロで満たされる。ＮポイントＩＤＦＴブロック２２の出力は、サイクリック・プレフィックス付加部２４に転送される。結果として得られる信号は、送信のために無線部１２に転送される。
【００７９】
図２３は、ＳＣ−ＦＤＭＡの上りリンク受信機の原理を示すブロック図である。ＳＣ−ＦＤＭＡの上りリンク受信機は、本質的には送信機の逆である。無線部１１２により受信された信号は、サイクリック・プレフィックス除去部１２４に転送され、その結果得られた信号は、ＮポイントＤＦＴブロック１２２に転送される。ＤＦＴの一部が、図２２の入力サンプルに対応する出力サンプルを生成するＭポイントＩＤＦＴブロック３０３に転送される。
【００８０】
図２２及び図２３から、ＳＣ−ＦＤＭＡは、本質的には、送信機側での前処理及び受信機側での後処理を持つＯＦＤＭであることが分かる。このため、ＳＣ−ＦＤＭＡは、事前符号化ＯＦＤＭとも呼ばれる。これを本明細書で用いる用語とする。この様に、事前符号化ＯＦＤＭにおいて、純粋なＯＦＤＭと同じ原理が、ＭポイントＩＤＦＴを含む後処理の前に上りリンクに用いられることが理解される。
【００８１】
本発明の長所は、スペクトラムの異なる部分を用いて、同じ無線装置によってＷＣＤＭＡ又はＬＴＥの選択な使用、或いは、併用が可能になることである。例えば、１つ又は２つの狭帯域チャネルをＷＣＤＭＡに用い、残りのチャネルをＬＴＥに用いることが可能である。
【００８２】
本発明について、ＷＣＤＭＡ装置の再利用を参照して説明してきたが、これは厳密には必要ではない。本発明が有用である他の応用は、例えば、１００ＭＨｚ帯域幅のＬＴＥシステムといった、非常に広帯域のＯＦＤＭシステムの実現にある。上記概略の原理に従って、その様なシステムは、５つの２０ＭＨｚＬＴＥシステムの組み合わせとして実現できる。その様な実装の長所は、純粋な１００ＭＨｚシステムに比べて、２０ＭＨｚシステムの無線装置に対する要求条件が緩やかであることである。その様な実施形態において、ＲＥは、複数の送信機又は受信機を実装し、各々が２０ＭＨｚの狭帯域チャネルを実装して、１００ＭＨｚの広帯域チャネルを形成するであろう。異なるＲＥにおけるアナログ発振部ＯＳＣは、既知の位相値に制御されなければならない。デジタルＯＳＣとアナログＯＳＣの位相同期の後、２０ＭＨｚの各サブ帯域に対する新しい“位相補償”値が計算できる。
【００８３】
上述した種々のブロックに対する実装の詳細の例を以下に示す。
・狭帯域チャネル機能は、ＡＳＩＣ及び／又はＦＰＧＡで実装可能
・広帯域チャネルは、ＡＳＩＣ及び／又はアナログ個別部品及びアナログ集積部品で実装可能
・ＣＰＲＩインタフェースはＦＰＧＡで実装可能
・ＲＥＣとＲＥとの間の制御通信は、ＦＰＧＡ及び／又はＣＰＵにより処理可能
・ＤＦＴ／ＩＤＦＴとサブキャリアのマッピングは、ＡＳＩＣ及び／又はＤＳＰソフトウェアで実装可能
・下りリンクでのサイクリック・プレフィックス除去部はＦＰＧＡで実装可能
・上りリンクでのサイクリック・プレフィックス除去部は、ＡＳＩＣ及び／又はＤＳＰソフトウェアで実装可能
添付の特許請求の範囲により規定される本発明の範囲を逸脱することなく、様々な修正及び変更を行い得ることを当業者は理解する。
【００８４】
略語集
ＡＳＩＣ：特定用途向け集積回路
ＣＰＲＩ：共通公衆無線インタフェース
ＤＦＴ：離散フーリエ変換
ＦＦＴ：高速フーリエ変換
ＦＰＧＡ：フィールド・プログラマブル・ゲート・アレイ
ＨＦＮ：ハイパー・フレーム番号
ＩＤＦＴ：逆離散フーリエ変換
ＩＦＦＴ：逆高速フーリエ変換
ＬＴＥ：ロング・ターム・エボリューション
ＮＣＯ：数値制御発振部（カウンタ及びテーブル参照に基づく発振部のデジタル実装）
ＯＦＤＭ：直交周波数分割多重
ＯＦＤＭＡ：直交周波数分割多元接続
ＲＥ：無線装置（ＣＰＲＩ用語では無線部）
ＲＥＣ：無線制御装置（ＣＰＲＩ用語ではベースバンド及ぼ制御部）
ＰＵＣＣＨ：物理上りリンク制御チャネル、ＬＴＥスペクトラムの周辺部分に位置する１ＭＨｚまでの非ＯＦＤＭのチャネル
ＲＡＣＨ：ランダム・アクセス・チャネル、ＬＴＥスペクトラムの周辺部分に位置する１ＭＨｚまでの非ＯＦＤＭのチャネル
ＷＣＤＭＡ：広帯域符号分割多元接続
【図１】
0005295373.tif 000012
【図２】
0005295373.tif 000013
【図３】
0005295373.tif 000014
【図４】
0005295373.tif 000015
【図５】
0005295373.tif 000016
【図６】
0005295373.tif 000017
【図７】
0005295373.tif 000018
【図８】
0005295373.tif 000019
【図９】
0005295373.tif 000020
【図１０】
0005295373.tif 000021
【図１１】
0005295373.tif 000022
【図１２】
0005295373.tif 000023
【図１３】
0005295373.tif 000024
【図１４】
0005295373.tif 000025
【図１５】
0005295373.tif 000026
【図１６】
0005295373.tif 000027
【図１７】
0005295373.tif 000028
【図１８】
0005295373.tif 000029
【図１９】
0005295373.tif 000030
【図２０】
0005295373.tif 000031
【図２１】
0005295373.tif 000032
【図２２】
0005295373.tif 000033
【図２３】
0005295373.tif 000034